(57)【要約】【課題】複数の小物入れを身に付けた際に、個々の小物入れの動き回りを規制することによって、使い勝手の向上を図る。【解決手段】縦方向に隣接した一対のブラシケース１を連結する場合、一方のブラシケース１の下方に隣接した他方のブラシケース１における半折りされた開閉部１ｂを開いた状態で、一方のブラシケース１の本体部１ａに設けられた連結部３ｆと、他方のブラシケース１の開閉部１ｂに設けられた連結部３ａとを連結する。【選択図】図１
2006130332.tif 000002
【特許請求の範囲】
【請求項１】
身体に装着可能であり、小物を収納する小物入れにおいて、
本体部と、
前記本体部と縦方向に連結し、前記本体部に対して半折りされた開閉可能な開閉部と、
前記本体部の下側に設けられている第１の連結部と、
前記開閉部に設けられ、前記開閉部を閉じた状態で下側になる第２の連結部とを有し、
縦方向に隣接した一対の小物入れを連結する場合、一方の小物入れの下方に隣接した他方の小物入れにおける前記半折りされた開閉部を開いた状態で、前記一方の小物入れの前記本体部に設けられた前記第１の連結部と、前記他方の小物入れの前記開閉部に設けられた前記第２の連結部とを連結することを特徴とする小物入れ。
【請求項２】
前記本体部の左側に設けられている第３の連結部と、
前記本体部の右側に設けられている第４の連結部とをさらに有し、
横方向に隣接した一対の小物入れにおける互いに対向した前記第３の連結部および前記第４の連結部は、前記開閉部が開または閉のいずれの状態においても、互いに連結可能であることを特徴とする請求項１に記載された小物入れ。
【請求項３】
前記本体部の背面に設けられ、身体に巻回されるベルトを取付可能なベルト取付部をさらに有することを特徴とする請求項２に記載された小物入れ。
【請求項４】
身体に装着可能であり、小物を収納する小物入れが複数連結された連結体において、
本体部と、前記本体部と縦方向に連結し、前記本体部に対して半折りされた開閉可能な開閉部と、前記本体部の下側に設けられている第１の連結部と、前記開閉部に設けられ、前記開閉部を閉じた状態で下側になる第２の連結部とで構成された第１の小物入れと、
前記第１の小物入れと同様の構成を有し、前記第１の小物入れと縦方向の下方に隣接した第２の小物入れとを有し、
前記第２の小物入れにおける前記半折りされた開閉部を開いた状態で、前記第１の小物入れの前記本体部に設けられた前記第１の連結部と、前記第２の小物入れの前記開閉部に設けられた前記第２の連結部とが連結されていることを特徴とする小物入れの連結体。
【請求項５】
前記第１の小物入れは、前記本体部の左側に設けられている第３の連結部と、前記本体部の右側に設けられている第４の連結部とをさらに有するとともに、
前記第１の小物入れと同様の構成を有し、前記第１の小物入れと横方向に隣接した第３の小物入れをさらに有し、
前記第１の小物入れおよび前記第３の小物入れにおける互いに対向した前記第３の連結部および前記第４の連結部は、前記開閉部が開または閉のいずれの状態においても、互いに連結可能であることを特徴とする請求項４に記載された小物入れの連結体。
【請求項６】
前記第１の小物入れおよび前記第３の小物入れは、前記本体部の背面に設けられ、身体に巻回されるベルトを取付可能なベルト取付部をさらに有し、
前記第１の小物入れの前記ベルト取付部および前記第３の小物入れの前記ベルト取付部は、前記ベルトが共通に取付けられていることを特徴とする請求項５に記載された小物入れの連結体。
【発明の詳細な説明】
【技術分野】
【０００１】
本発明は、身体に装着可能であり、小物を収納する小物入れに関する。
【背景技術】
【０００２】
従来より、携帯性や収納性を考慮した様々な小物入れが提案されている。例えば、特許文献１には、化粧具等を種別に分けて別々に収納可能なバッグ式の小物入れが開示されている。この小物入れは、その容量の向上を図るために、仕切布の両側に収容部がそれぞれ設けられており、収容部毎に化粧具等を整理して収納できる。また、特許文献２には、小物入れ本体の両側に巻回紐が設けられ、その上端に留め具を有する吊下げ紐が設けられた小物入れが開示されている。この小物入れは、巻回紐を大腿部に巻回し、吊下げ紐を下着に留めることにより、大腿部に装着される。このような装着状態では、小物入れ本体が半ズボンやスカート等に隠れており、かつ、ずり落ちることがないので、携帯性と安全性との両立を図ることができる。
【０００３】
【特許文献１】実登３０４６５４２号公報
【特許文献２】特開２０００−１４４２９号公報
【発明の開示】
【発明が解決しようとする課題】
【０００４】
ところで、携帯性が重視される小物入れの場合、その収納容量はあまり大きくないので、収納すべき小物の量が多いと、一つの小物入れに収納しきれない事態が生じる。また、必要な収納量を確保するために、複数の小物入れを身体に装着した場合、装着者の体勢や挙動によって、個々の小物入れが動き回わり、使い勝手が悪いという不都合がある。
【０００５】
本発明は、かかる事情に鑑みてなされたものであり、その目的は、複数の小物入れを身に付けた際に、個々の小物入れの動き回りを規制することによって、使い勝手の向上を図ることである。
【課題を解決するための手段】
【０００６】
かかる課題を解決するために、第１の発明は、身体に装着可能であり、小物を収納する小物入れにおいて、小物入れに設けられ、身体に巻回されるベルトを取付可能なベルト取付部と、小物入れに取付けられ、隣接した小物入れに連結可能な連結部とを有する小物入れを提供する。
【０００７】
ここで、第１の発明において、連結部は、小物入れの左右に設けてもよい。この構成では、横方向に隣接した一対の小物入れを連結する場合に、一対の小物入れにおける互いに対向した左右の連結部同士が係合される。また、連結部は、小物入れの上下に設けてもよい。この構成では、縦方向に隣接した一対の小物入れを連結する場合に、一対の小物入れにおける互いに対向した上下の連結部同士が係合される。
【０００８】
また、上記小物入れは、本体部と、本体部に対して縦方向に開閉可能な開閉部とを有することが好ましい。この連結部は、本体部および開閉部のそれぞれに設けられている。そして、開閉部が開または閉のいずれの状態においても、本体部側の連結部と開閉部側の連結面とを係合可能である。また、本体部には、複数のポケットが設けられていることが好ましく、開閉部には、ファスナー付の収納部が設けられていることが好ましい。
【０００９】
また、上記ベルト取付部は、ベルトを挿通可能な筒形状を有していてもよく、ベルトに係合可能な形状を有するフックであってもよい。
【００１０】
第２の発明は、身体に装着可能であり、小物を収納する小物入れが複数連結された連結体において、身体に巻回されるベルトと、ベルトを取付可能なベルト取付部と、隣接した小物入れに連結可能な連結部とを有する小物入れとを有する。ここで、横方向において隣接した小物入れのベルト取付部には、ベルトが共通に取付けられている。また、隣接した一対の小物入れにおける対向した連結部同士が、係合されている。
【発明の効果】
【００１１】
本発明では、隣接した小物入れ同士を連結するための連結部が、小物入れに設けられている。そして、収納すべき小物の量が多い場合には、隣接した小物入れにおける対向した連結部同士を連結した上で、複数の小物入れを身体に装着する。これにより、装着された個々の小物入れの変位が互いに規制されるため、複数装着時における使い勝手の向上を図ることができる。
【発明を実施するための最良の形態】
【００１２】
以下、小物入れの一形態として、顧客に対して商品説明や技術指導等を行う際に、美容部員が身に付けるブラシケースを例に説明する。図１は、本実施形態に係るブラシケースの正面図であり、図２は、その背面図である。ブラシケース１は、一例として厚手のナイロン布製であって、本体部１ａと、開閉可能な開閉部１ｂとが縦方向に連結した構造を有する。なお、図１および図２は、ブラシケース１を閉じた状態、すなわち本体部１ａに対して開閉部１ｂが半折りされた状態を示している。
【００１３】
ブラシケース１の内部には、大小のブラシ，ペン類，パフといった各種の化粧具が収納される。また、本体部１ａ側（正面側）の左右および下側には、連結部３ｂ〜３ｆが取付けられているとともに、ブラシケース１の開閉部１ｂ側（背面側）の下方中央には、連結部３ａが取付けられている。ブラシケース１の上下に設けられた連結部３ａ，３ｆは、縦方向において隣接したブラシケース１同士を連結する際に用いられる。また、ブラシケース１の左右に設けられた連結部３ｂ〜３ｅは、横方向において隣接したブラシケース１同士を連結する際に用いられる。これらの連結部３ａ〜３ｆは、ブラシケース１に一端が縫合された連結紐と、連結紐の他端に取付けられた凹型または凸型の留め具（コネクタ）とで構成されている。一対のブラシケース１を隣接させた場合、互いに係合可能な凹型の留め具と凸型の留め具とが対向するようになっている。
【００１４】
また、ブラシケース１の本体部１ａ側の中央上方には、ベルト取付部４が設けられている。図３に示すように、ベルト取付部４は、矩形シート布４ａの上下縁部を本体部１ａに縫合することにより形成されており、身体に巻回されるベルト２を挿通可能な筒形状を有する。ベルト取付部４に取付可能なベルト２は、その両端に留め具２ａ，２ｂが取付けられているとともに、ベルト長を調整可能なアジャスタ２ｃを有する。使用者は、アジャスタ２ｃで適切なベルト長に調整した上で、凸型の留め具２ａを凹型の留め具２ｂに嵌入して、ブラシケース１を身に付ける。なお、このブラシケース１は、ベルト長を適切に調整することにより、腰掛けや肩掛けで身体に携帯することもできる。
【００１５】
図４は、ブラシケース１を開いた状態を示す図である。図示された折曲線Ｌで折曲げられた開閉部１ｂを開くことにより、本体部１ａ側にはブラシ面が出現し、開閉部１ｂ側にはポーチ面が出現する。
【００１６】
本体部１ａ側のブラシ面には、大小のブラシ，ペン類，パフといった各種の化粧具を収納可能な２段式のポケット５ａ〜５ｆが設けられている。上段のポケット５ａ〜５ｃは、下段のポケット５ｄ〜５ｆよりも大きなマチが設けられているため、ここには比較的大きな化粧具を収納することができる。また、ブラシ等の本数に拘らず、収納された化粧具が取出し易く、かつ落ち難いように考慮された構造となっている。さらに、ブラシ面の縦面を長めに取ることで、筆の傷みや衣類の汚れを防止し、ピン留めができるようになっている。
【００１７】
一方、開閉部１ｂ側のポーチ面には、透明ビニールで収納内部が見える透明収納部６が設けられており、この収納部６の左側には、縦方向に延在するファスナー７が付いている。開閉部１ｂ側にファスナー７を設けることにより、開閉部１ｂの開閉中に収納された化粧具が脱落することを防止できる。また、ブラシケース１が開または閉のいずれの状態であっても、側面から収納部６内に収納された化粧具の出し入れができるようになっている。さらに、ファスナー７を開けても収納された化粧具が落ち難いように、ポーチ面の方向も考慮されている。なお、ブラシケース１にベルト２を通して身体に携帯した際に開閉しやすいように、ポーチ面の先端は若干先細りになっている。
【００１８】
ブラシケース１が開または閉のいずれの状態においても、そのブラシケース１が備える上下の連結部３ａ，３ｆを互いに係合することができる。すなわち、開閉部１ｂを図４の紙面表側に折曲げた状態で、連結部３ｆ側の凸型留め具を連結部３ａ側の凹型留め具に嵌入すれば、ブラシケース１を閉じた状態で固定できる。逆に、開閉部１ｂを図４の紙面裏側に折曲げた状態で、同様の嵌入を行えば、ブラシケース１を開いた状態で固定できる。これらの連結部３ａ，３ｆの連結紐の長さは、ある程度の余裕が設けられているため、ブラシケース１の収納量が多い場合でも、その余裕で対応することができる。
【００１９】
図５は、隣接したブラシケース１の連結状態を示す図である。ブラシケース１は、身体に携帯可能な範囲でいくつでも連結可能である。これらを装着するにあたっては、まず、ベルト取付部４にベルト２を挿通することにより、一本のベルト２に複数のブラシケース１を共通して取付ける。つぎに、横方向に隣接した一対のブラシケース１において、互いに対向した連結部同士３ｂ，３ｄ（および３ｃ，３ｅ）を連結する。そして、ベルト２を身体に巻回することにより、ブラシケース１の連結体の装着が完了する。なお、縦方向にもブラシケース１を連結したい場合には、一方のブラシケース１における連結部３ｆを、下方に隣接した開状態のブラシケース１における連結部３ａと連結すればよい。
【００２０】
このように、本実施形態によれば、複数のブラシケース１を身に付ける場合、連結部３ａ〜３ｆを用いて、上下左右において隣接したブラシケース１を連結・係止することができ、連結方向も任意に設定できる。したがって、使用用途（日常、催事）や状況に応じて、邪魔にならない連結形態で必要な収納量を確保できる。また、美容部員の挙動や体勢によって、個々のブラシケース１が動き回ることが規制されるため、使い勝手がよい。また、ブラシケース１を横方向に複数連結する場合、ブラシケース１の数相当のベルト２を用いる必要はなく、一本のベルト２を共通に用いているため、身体を圧迫することなく、良好な装着性を確保することができる。
【００２１】
また、ベルト２の長さを適切に調整することで、肩掛けや腰掛けで身体に携帯できるというフレキシビリティがある。さらに、連結部３ａ〜３ｆを共通化することにより、他のベルト（例えば、服やバッグ等のベルト）にもブラシケース１を取付けることが可能となる。
【００２２】
また、装着したブラシケース１を閉じている状態では、ベルト取付部４が比較的小さいので、身体との接触面が少なく蒸れ難いという効果がある。それとともに、体勢を変えてもブラシケース１の重心が変らず安定している。その結果、ブラシ等の化粧具が落ち難いという効果もある。
【００２３】
なお、ベルト取付部４は、図３に示した形態に限定されるものではなく、例えば、図６に示すように、ベルト２に係合可能な形状を有する金属製のフック８を用いてもよい。この場合、ブラシケース１の本体部１ａに取付けられたフック８の下方よりベルト２を変形させながら取付ければよい。図３に示した形態と異なり、ベルト２の端部より挿通する必要がないので、ベルト２への着脱を容易に行うことができる。また、フック８以外にも、面ファスナー等を用いてベルト２への着脱を行えるようにしてもよい。
【００２４】
また、上述した実施形態では、ブラシケース１の上下および左右に連結部３ａ〜３ｆを取付けた例について説明したが、これらが上下または左右の一方のみに取付けられていてもよい。すなわち、ブラシケース１を横方向にのみ連結可能にする場合には、連結部３ｂ〜３ｅのみを設ければよく、連結部３ａ，３ｆは不要である。また、ブラシケース１を縦方向にのみ連結可能にする場合には、連結部３ａ，３ｆのみを設ければよく、連結部３ｂ〜３ｅは不要である。
【００２５】
さらに、上述した実施形態は、小物入れの一形態としてブラシケース１を例に説明したが、本発明はこれに限定されるものではなく、ウェストポーチ等を含む各種の小物入れに適用可能である。
【図面の簡単な説明】
【００２６】
【図１】本実施形態に係るブラシケースの正面図
【図２】ブラシケースの背面図
【図３】ベルト取付部の説明図
【図４】ブラシケースを開いた状態を示す図
【図５】隣接したブラシケースの連結状態を示す図
【図６】フックを用いたベルト取付部の説明図
【符号の説明】
【００２７】
１  ブラシケース
１ａ  本体部
１ｂ  開閉部
２  ベルト
２ａ，２ｂ  留め具
２ｃ  アジャスタ
３ａ〜３ｆ  連結部
４  ベルト取付部
４ａ  矩形シート布
５ａ〜５ｆ  ポケット
６  透明収納部
７  ファスナー
８  フック
【図１】
2006130332.tif 000003
【図２】
2006130332.tif 000004
【図３】
2006130332.tif 000005
【図４】
2006130332.tif 000006
【図５】
2006130332.tif 000007
【図６】
2006130332.tif 000008